(57)【要約】【課題】油成分を含有する洗浄剤を含浸したシートを収用して容器が膨潤するのを回避し、天蓋や底蓋の開閉をスムーズに行えるようにし、且つ多数回天蓋や底蓋を開閉しても、容器の耐久性や密封性が損なわれないようにする。【解決手段】油成分を含有する洗浄剤を含浸したシートを収用するＰＥＴからなる容器本体１１と、容器本体１１の天面開口部１３を覆うソフトＰＢＴからなる天蓋１２と、底面開口部１４を覆う底蓋１５とを含み、天面開口部１３は開口部周壁１７によって囲まれて開口しているシート収用容器１０であって、天蓋１２は、下面側に開口部周壁１３に内挿される内挿周壁１８を有していると共に、内挿周壁１８の外側部分から下方に突出する係止部２０を備え、係止部２０を開口部周壁１７の外側部分に設けた被係止部２１に係止して、天面開口部１７を開閉する。天蓋１２の閉塞状態において、開口部周壁１３と内挿周壁１８との間に隙間ｓを保持する。【選択図】図１
2007204131.tif 000002
【特許請求の範囲】
【請求項１】
天面開口部と底面開口部とを備え、油成分を含有する洗浄剤を含浸したシートを収用する容器本体と、前記天面開口部を覆う天蓋と、前記底面開口部を覆う底蓋とを含み、前記天面開口部は、前記容器本体の天面部に開口部周壁によって囲まれて開口しているシート収用容器であって、
前記容器本体はポリエチレンテレフタレートからなると共に、前記天蓋はソフトセグメントを共重合したポリブチレンテレフタレートからなり、
前記天蓋は、前記開口部周壁の外側において前記容器本体の天面部にヒンジ接合されると共に、下面側に前記開口部周壁の内側に内挿される内挿周壁を有しており、
且つ前記天蓋は、ヒンジ接合部とは反対側における前記内挿周壁の外側部分から下方に突出する係止部を備え、該係止部を前記開口部周壁の外側部分に設けた被係止部に着脱可能に係止して、前記天面開口部を開閉すると共に、前記天蓋の閉塞状態において、前記開口部周壁と前記内挿周壁との間に隙間が保持されるシート収用容器。
【請求項２】
前記底蓋はソフトセグメントを共重合したポリブチレンテレフタレートからなる請求項１記載のシート収用容器。
【請求項３】
前記洗浄剤に含有される油成分がイソトデカンである請求項１又は２に記載のシート収用容器。
【発明の詳細な説明】
【技術分野】
【０００１】
本発明は、シート収用容器に関し、特に天面開口部と底面開口部とを備える容器本体に洗浄剤を含浸したシートを収用するシート収用容器に関する。
【背景技術】
【０００２】
例えばウェットテッシュ等の洗浄剤を含浸したシートを複数枚収用し、天面開口部から順次取り出せるようにしたシート収用容器として、例えば天面が開口部となった略六面体形状の容器本体と、天面の開口部を開閉する蓋体とからなり、ポリプロピレンやポリエチレン等のプラスチック材料を用いて箱状に形成された容器が知られている（例えば、特許文献１参照）。これらのシート収用容器では、天面の大きな開口部から、積層状態のシートを詰替え可能に容器本体に収容すると共に、容器本体の開口周縁部にヒンジ連結した蓋体を開閉したり、天面開口部を覆って装着した蓋体の一部を、他の部分に対して折り曲げ可能なヒンジ部において折り曲げて当該蓋体の一部を開閉することにより、洗浄用のシートを容器本体から取り出すようになっている。
【０００３】
また、容器本体を天面開口部と底面開口部とを備えるように形成し、底面開口部を覆う底蓋を着脱して、積層状態のシートを詰替え可能に容器本体に収容すると共に、容器本体の天面部には、天面開口部を、収用されたシートを取り出し易い所望の形状で開口形成したシート収用容器も知られている。
【０００４】
これらのシート収用容器では、特に天面開口部を覆う天蓋や底面開口部を覆う底蓋は、開閉を行い易いように、しなりを生じる軟らかさを備えていることが好ましいことから、ポリプロピレンやポリエチレン等の柔軟性を有するプラスチック材料を用いて形成されるのが一般的である。
【特許文献１】特開平１０−１０２２５号公報
【発明の開示】
【発明が解決しようとする課題】
【０００５】
ポリプロピレンやポリエチレンは、親油性の樹脂であって油成分との相溶性が大きく、耐油性に乏しいため、シートに含浸した洗浄剤が油成分を含有するものであると、長期間の使用によって容器本体や天蓋等が膨潤して変形するおそれがある。特に、洗浄剤がメーク落しに好適な低分子量の油剤や揮発性の油剤、例えばイソドデカン（マルカゾールＲ）を含むものであると、ポリプロピレンやポリエチレンによる容器が膨潤して変形することが確認されており、このような油成分に対して膨潤しないプラスチック材料を選択することが重要である。
【０００６】
一方、耐油性に優れ、射出成形が容易で安価なプラスチック材料として、例えばポリエチレンテレフタレート（ＰＥＴ）が知られているが、ＰＥＴは、ポリプロピレンやポリエチレンと比較して柔軟性が劣る硬いプラスチック材料であるため、容器本体に用いることはできても、しなりを生じる軟らかさを備えていることが要望される天蓋や底蓋に用いることは好ましくない。
【０００７】
また、天蓋や底蓋に用いるプラスチック材料として、油成分との相溶性が小さく、柔軟性を有する特定の樹脂を選定することが考えられるが、単にこのようなプラスチック材料を選定するだけでは、硬いプラスチック材料であるＰＥＴによる容器本体に設けられた被係合部に、柔軟性のあるプラスチック材料による天蓋に設けられた係合部を係止しつつ、天面開口部を繰返し開閉すると、多数回の着脱によって軟らかい材質の天蓋が損傷し、容器の耐久性や密封性に懸念が生じることになる。
【０００８】
本発明は、油成分を含有する洗浄剤が含浸されたシートを収用した際に容器が膨潤するのを効果的に回避できると共に、シートを取り出す際の天蓋の開閉をスムーズに行うことができ、且つ多数回天蓋の開閉を繰り返しても、容器の耐久性や密封性が損なわれるのを効果的に抑制することのできるシート収用容器を提供することを目的とする。
【課題を解決するための手段】
【０００９】
本発明は、天面開口部と底面開口部とを備え、油成分を含有する洗浄剤を含浸したシートを収用する容器本体と、前記天面開口部を覆う天蓋と、前記底面開口部を覆う底蓋とを含み、前記天面開口部は、前記容器本体の天面部に開口部周壁によって囲まれて開口しているシート収用容器であって、前記容器本体はポリエチレンテレフタレートからなると共に、前記天蓋はソフトセグメントを共重合したポリブチレンテレフタレートからなり、前記天蓋は、前記開口部周壁の外側において前記容器本体の天面部にヒンジ接合されると共に、下面側に前記開口部周壁の内側に内挿される内挿周壁を有しており、且つ前記天蓋は、ヒンジ接合部とは反対側における前記内挿周壁の外側部分から下方に突出する係止部を備え、該係止部を前記開口部周壁の外側部分に設けた被係止部に着脱可能に係止して、前記天面開口部を開閉すると共に、前記天蓋の閉塞状態において、前記開口部周壁と前記内挿周壁との間に隙間が保持されるシート収用容器を提供することにより、上記目的を達成したものである。
【発明の効果】
【００１０】
本発明のシート収用容器によれば、油成分を含有する洗浄剤が含浸されたシートを収用した際に容器が膨潤するのを効果的に回避できると共に、シートを取り出す際の天蓋の開閉をスムーズに行うことができ、且つ多数回天蓋の開閉を繰り返しても、容器の耐久性や密封性が損なわれるのを効果的に抑制することができる。
【発明を実施するための最良の形態】
【００１１】
図１〜図３に示す本発明の好ましい一実施形態に係るシート収用容器１０は、油成分を含有する洗浄剤を含浸したシートとして、例えばメーク落し用の洗浄剤を含浸したシートを、容器本体１１の内部に複数枚積層した状態で収用し、天蓋１２を開閉しつつ天面開口部１３から好ましくは一枚一枚シートを順次取り出しながら使用できるようにする。本実施形態では、メーク落し用の洗浄剤は、ファンデーションや口紅の他、例えばウォータープルーフマスカラ等を落とせる油性成分を、洗浄基剤として含有している。
【００１２】
このような油性成分としては、沸点１５０〜２５０℃の低沸点軽質流動イソパラフィンを２〜５０％程度含んでいることが好ましい。低沸点軽質流動イソパラフィンは、その高い揮発性によって使用後のべたつきを低減することで、使用感を向上させるなどの効果がある。さらに低分子量であるため油性皮膜を効果的に溶解し高い洗浄力が発現する。低沸点軽質流動イソパラフィンの製品としては、IPソルベント（出光化学社製）やアイソパー（シェル社製）、アイソゾール（新日本石油化学社製）、マルカゾール（丸善石油化学社製）などが挙げられる。中でも匂いや使用感の点から、マルカゾールＲ（丸善石油化学社製）や2,2,4,6,6−ペンタメチルヘプタンなどのイソドデカンを使用することが好ましい。低沸点軽質流動イソパラフィンは他の油剤と組み合わせることも可能である。組み合わせる油剤は特に限定されるものではないが、高い洗浄力と油性感のない使用感を実現するために、揮発性のシリコーンや粘度１５ｍＰａ・ｓ程度の低粘度の油剤と組み合わせることが好ましい。
【００１３】
本実施形態のシート収用容器１０は、このような油成分を含有する洗浄剤を含浸したシートを適宜詰め替えながら使用した場合でも、容器が膨潤するの回避すると共に、天蓋１２を着脱しつつ多数回天面開口部１３を開閉しても、容器の耐久性や密封性が損なわれるのを抑制して、その機能を保持しつつ長期間に亘って使用できるようにするものである。
【００１４】
そして、本実施形態のシート収用容器１０は、天面開口部１３と底面開口部１４（図３参照）とを備え、油成分を含有する洗浄剤を含浸したシートを収用するポリエチレンテレフタレート（ＰＥＴ）からなる容器本体１１と、天面開口部１３を覆うソフトセグメントを共重合したポリブチレンテレフタレート（ソフトＰＢＴ）からなる天蓋１２と、底面開口部１４を覆う底蓋１５とを含み、天面開口部１３は、容器本体１１の天面部１６に開口部周壁１７によって囲まれて開口している。また天蓋１２は、開口部周壁１７の外側において容器本体１１の天面部１６にヒンジ接合されると共に、下面側に開口部周壁１７の内側に内挿される内挿周壁１８を有しており、且つ天蓋１２は、ヒンジ接合部１９とは反対側における内挿周壁１８の外側部分から下方に突出する係止部２０を備え、この係止部２０を開口部周壁１８の外側部分に設けた被係止部２１に着脱可能に係止して、天面開口部１３を開閉すると共に、図４に示すように、天蓋１２の閉塞状態において、開口部周壁１７と内挿周壁１８との間に隙間ｓが保持されるようにする。
【００１５】
本実施形態では、図１〜図３に示すように、容器本体１１は、ＰＥＴからなる射出成形品であり、例えば幅ｂが５０〜１００ｍｍ程度、長さｌが５０〜１００ｍｍ程度、高さｈが３０〜１００ｍｍ程度の大きさの、中空略六面体形状に形成される。また容器本体１１は、その底面部の全域が底面開口部１４として開口していると共に、その天面部１６には、周囲の帯状部分を残して凹状に窪んだ、天面部１６と略相似形状の窪み部２３が設けられている。窪み部２３は、中間の四角形部分２３ａが高くなった複数段の構造を備えており、この四角形部分２３ａの中央部に、開口部周壁１７によって囲まれる円形の天面開口部１３が開口形成される。また、四角形部分２３ａを挟んでさらに低くなった後方窪み部２３ｂには、これの両側の側壁面２３ｃに、天蓋１２をヒンジ接合するための円形のピン挿入穴２４（図３参照）が外側に窪んで設けられている。このピン挿入穴２４に天蓋１２の基端部分に設けたピン突起（図示せず）を挿入係止することにより、天蓋１２を、ピン挿入穴２４を中心として回転可能に支持する。
【００１６】
さらに、四角形部分２３ａを挟んでさらに低くなった前方窪み部２３ｄには、後方の四角形部分２３ａとの段差壁面２３ｅの中央上部から突出して、図４にも示すように、被係止部２１としての係止リブが、開口部周壁１７と離れた開口部周壁１７の外側部分に位置して設けられる。さらにまた、開口部周壁１７の内側面には、天蓋１２の閉塞状態において開口部周壁１７と天蓋１２の内挿周壁１８との間の隙間ｓを保持しつつも、この隙間ｓの大きさを調整して容器の適度な密封性を保持させるための環状リブ２５が、全周に亘って連続突出して設けられる。
【００１７】
本実施形態では、天面開口部１３を開閉する天蓋１２は、ソフトＰＢＴからなる平板状の射出成形品であり、凹状湾曲部１２ａとなった前方部分の形状を除いて、容器本体１１の窪み部２３の平面形状と略合致する形状を備える。容器本体１１にヒンジ接合される天蓋１２の基端部分の両側には、下方に突出してピン支持フランジ２６（図１参照）が設けられている。ピン支持フランジ２６には、ピン突起が外側に突出して設けられている。ピン突起は、容器本体１１の後方窪み部２３ｂの側壁面２３ｃに形成したピン挿入穴２４に挿入されることにより、ピン挿入穴２４と共にヒンジ接合部１９を構成して、ピン挿入穴２４を中心として天蓋１２を回転させつつ天面開口部１３を開閉させる。
【００１８】
また、本実施形態では、天蓋１２の下面周縁部に沿って、縁取り段部２７が設けられており、天蓋１２を閉塞した際に、縁取り段部２７を窪み部２３の四角形部分２３ａの側縁部に沿って当接させることにより、天蓋１２の下面と四角形部分２３ａの上面とが密着するのを回避しつつ、天蓋１２の上面を、容器本体１１の天面部１６周囲の帯状部分と面一に配置する。天蓋１２の前方部分が凹状湾曲部１２ａとなっていることにより、天蓋１２の上面を容器本体１１の天面部１６と面一に配置しても、窪み部２３の縁部との間に指を入れることが可能な開口が保持されるので、天蓋１２を開放する際に、係止部２０と被係止部２１との係止状態を解除する操作をスムーズに行うことが可能になる。
【００１９】
さらに、本実施形態では、天蓋１２の下面には、天面開口部１３の周囲を囲う開口部周壁１７の内側に内挿される内挿周壁１８が下方に突出して設けられ、ヒンジ接合部１９とは反対側における内挿周壁１８の外側部分には、係止部２０が下方に突出して設けられる。内挿周壁１８は、環状リブ２５を含む開口部周壁１７の内径よりも僅かに小さな外径を有する円環状のリブによって構成され、天蓋１２を開閉する際に、開口部周壁１７や環状リブ２５との間に隙間ｓを保持して、これらとの接触を回避する。ここで、内挿周壁１８と開口部周壁１７との間の隙間ｓは、０．０５〜０．５mmとすることが好ましく、０．０５〜０．１mmとすることがさらに好ましい。内挿周壁１８と開口部周壁１７との間の隙間ｓを０．０５mm〜０．５mmとすることにより、容器の密閉性を保持しつつ容器の耐久性、快適な開閉性を確保できるという利点が得られる。
【００２０】
係止部２０は、前方窪み部２３ｄの段差壁面２３ｅに設けられた係止リブ２１と対応する位置において、天蓋１２から下方に突出する突出片２０ａと、この突出片２０ａの下部から内側に突出する係止突起２０ｂとからなる（図４参照）。天蓋１２を閉塞する際には、突出片２０ａを外側に押し広げるようにして弾性変形させつつ、係止突起２０ｂを係止リブ２１に乗り上げさせて当該係止リブ２１の下側に係止する。天蓋１２を開放する際には、同様に突出片２０ａを外側に押し広げるようにして弾性変形させつつ、係止突起２０ｂを係止リブ２１に乗り上げさせて係止状態を解除する。
【００２１】
ここで、天蓋１２を形成するためのソフトＰＢＴは、ポリブチレンテレフタレート（ＰＢＴ）にソフトセグメントを共重合して得られるものである。ポリブチレンテレフタレートは、耐油性に優れたプラスチック材料として知られているが、曲げ弾性率が高く、ＰＥＴと同様に硬い材質のものであるため、天蓋１２の材料として用いるのは適切ではない。一方、ＰＢＴは、特定の柔軟性を有する樹脂と共重合することにより、柔軟性を付与するセグメント（ソフトセグメント）を共重合したソフトＰＢＴを形成することができる。形成されたソフトＰＢＴは、ＰＢＴの主な物性を変化させることなく、例えば３００〜２４００ＭＰａ、好ましくは３００〜９００ＭＰａの低い曲げ弾性率を備えるプラスチック材料を構成する。ＰＢＴと共重合される柔軟性を有する樹脂としては、例えばポリオール・ジオール等を用いることができ、その配合量等を調整することにより、曲げ弾性率を適宜調整することができる。ソフトＰＢＴとして、より具体的には、例えば商品名「ノバデュラン５５００シリーズ」（三菱エンジニアリングプラスチック社製）等を用いることができる。
【００２２】
容器本体１１の底面開口部１４を覆う底蓋１５は、好ましくは詰替え用として例えばプラスチックフィルムやアルミ箔積層フィルム等からなる袋に積層状態で包装されたシートを、袋の開封部を開封した状態で、大きな開口面積の底面開口部１４から容器本体１１に出し入れする際に、底面開口部１４を開閉するべく底面開口部１４を覆って着脱可能に取り付けられる。底蓋１５は、底面開口部１４よりも僅かに大きな、これと相似形の平面形状を有している。また周縁部分に沿って立設して、係着壁２８が設けられている。係着壁２８を、底蓋１５の弾性変形を利用しつつ、容器本体１１の側面部２２の下端外周縁部に沿って連続的に切欠き形成した係着凹部２９に嵌め込むようにして装着することにより、底面開口部１４を閉塞する。底蓋１５は、詰替え時の開閉蓋として用いられ、着脱される回数は少ないものの、着脱時にしなりを生じる軟らかさを備えていることが望ましいことから、天蓋１２と同様に、プラスチック材料としてソフトＰＢＴを用いて形成することが好ましい。
【００２３】
そして、上述の構成を備える本実施形態のシート収用容器１０によれば、例えば積層状態で袋に包装されたシートを適宜詰め替え、天蓋１２を繰り返し着脱しながら天面開口部１３を開閉して、容器本体１１に収用されたシートを順次取り出しつつ長期間に亘って使用されることになるが、収用されるシートが、油成分であるイソドデカンを含有する洗浄剤が含浸されたシートであっても、容器１０が膨潤するのを回避できると共に、シートを取り出す際の天蓋１２の開閉をスムーズに行うことができ、且つ多数回天蓋１２の開閉を繰り返しても、容器１０の耐久性や密封性が損なわれるのを抑制することができる。
【００２４】
すなわち、本実施形態では、容器本体１１、天蓋１２、及び底蓋１５が、いずれも耐油性に優れたＰＥＴ或いはソフトＰＢＴからなるので、長期間に亘って使用しても、容器１０が膨潤して変形することがない。また、天蓋１２や底蓋１５が、柔軟性を有するプラスチック材料であるソフトＰＢＴからなるので、天面開口部１３や底面開口部１４を開閉する際に、天蓋１２や底蓋１５に適度なしなりを生じさせながら、これらの着脱操作をスムーズに行うことが可能になる。さらに、天面開口部１３を閉塞した状態に保持するための天蓋１２の係合を、開口部周壁１７と内挿周壁１８との間の内嵌合によって行うのではなく、開口部周壁１７と内挿周壁１８との間には隙間ｓを保持したまま、開口部周壁１７の外側部分に設けた被係止部２１と、内挿周壁１８の外側部分に設けた係止部２０とのいわゆる外嵌合方式によって、天蓋１２を容器本体１１に係合するので、ソフトＰＢＴからなる天蓋１２の内挿周壁１８が、硬いＰＥＴからなる容器本体１１の開口部周壁１７と繰り返し接触して損傷するのを回避することが可能になり、これによって容器１０の耐久性や密封性が損なわれるのを効果的に抑制することが可能になる。
【００２５】
なお、本発明は上記実施形態に限定されることなく種々の変更が可能である。例えば、底蓋をソフトＰＢＴを用いて形成する必要は必ずしもなく、底蓋は着脱される回収が少ないことから、ＰＥＴ等のその他の耐油性に優れたプラスチック材料を用いて形成することもできる。また、収用されるシートは、軽質流動イソパラフィンを油成分として含有するメーク落し用の洗浄剤を含浸したシートに限定されることなく、他の油成分を含有するメーク落し用の洗浄剤を含浸したシートや、メーク落し用以外の、他の油成分を含有する液を含浸した洗浄シートやスキンケアシート、床や家具を清掃するための清掃シート等を収用して用いることもできる。特に、本発明のシート収用容器は、油成分として、例えば軽質流動パラフィンや揮発性環状シリコーン等の揮発性油剤を含有する洗浄剤を含浸したシート収用する容器として好適である。
【図面の簡単な説明】
【００２６】
【図１】本発明の好ましい一実施形態に係るシート収用容器を天蓋を開いた状態で示す斜視図である。
【図２】本発明の好ましい一実施形態に係るシート収用容器を天蓋を閉じた状態で示す斜視図である。
【図３】図２のＡ−Ａ線に沿った略示断面図である。
【図４】図３のＢ部拡大断面図である。
【符号の説明】
【００２７】
１０  シート収用容器
１１  容器本体
１２  天蓋
１３  天面開口部
１４  底面開口部
１５  底蓋
１６  容器本体の天面部
１７  開口部周壁
１８  内挿周壁
１９  ヒンジ接合部
２０  係止部
２１  被係止部
２２  容器本体の側面部
２３  窪み部
２３ａ  四角形部分
２３ｂ  後方窪み部
２３ｃ  後方窪み部の側壁面
２３ｄ  前方窪み部
２３ｅ  段差壁面
２４  ピン挿入穴
２５  環状リブ
２６  ピン支持フランジ
２７  縁取り段部
２８  係着壁
２９  係着凹部
ｓ    開口部周壁と天蓋周壁との間の隙間
【図１】
2007204131.tif 000003
【図２】
2007204131.tif 000004
【図３】
2007204131.tif 000005
【図４】
2007204131.tif 000006